(57)【要約】      （修正有）【課題】製造コストや販売費を低減できる自動販売機用のダミー体及び取付構造を提供する。【解決手段】ステージ１７の取付孔Ｈ１，Ｈ２に取り付けられ、この取付孔Ｈ１，Ｈ２の径より大きい外径を有する胴部１３と、この胴部１３の下部から下方に向けて突設され前記取付孔Ｈ１，Ｈ２の径より小さい外径を有する円筒状フランジ１９とを備え、前記円筒状フランジ１９の外周面から径方向外側に突出する第一突出片２０、第二突出片２１および突出部２３を備え、前記第一突出片２０は、円筒状フランジ１９の左側または右側において、円筒状フランジ１９を前記取付孔内に挿入したときに、取付孔の周縁部の下面から下向きの付勢を受けて弾性変形する状態となるように設けられ、前記第二突出片は、円筒状フランジを前記取付孔内に挿入したときに取付孔の周縁部の下側に進入するように設けられ、前記突出部は円筒状フランジの後側に設ける。【選択図】図１
0003116833.tif 000002
【実用新案登録請求の範囲】
【請求項１】
自動販売機において販売する商品を示すために自動販売機に設けられたステージの取付孔に取り付けられ、この取付孔の径より大きい外径を有する胴部と、この胴部の下部から下方に向けて突設され前記取付孔の径より小さい外径を有する円筒状フランジとを備えた自動販売機用のダミー体であって、前記円筒状フランジの外周面から径方向外側に突出する第一突出片、第二突出片および突出部を備え、前記第一突出片は、円筒状フランジの左側または右側において、円筒状フランジを前記取付孔内に挿入したときに、取付孔の周縁部の下面から下向きの付勢を受けて弾性変形する状態となるように設けられ、前記第二突出片は、円筒状フランジを前記取付孔内に挿入したときに取付孔の周縁部の下側に進入するように設けられ、前記突出部は円筒状フランジの後側に設けられていることを特徴とする自動販売機用のダミー体。
【請求項２】
第二突出片が第一突出片に隣接する位置に設けられている請求項１に記載の自動販売機用のダミー体。
【請求項３】
前記円筒状フランジの外周面から径方向外側に突出し、円筒状フランジを前記取付孔内に挿入したときに取付孔の周縁部の下側に進入するように設けられた第三突出片を備え、また、前記第二突出片および第三突出片が第一突出片を挟む位置に設けられている請求項１に記載の自動販売機用のダミー体。
【請求項４】
前記円筒状フランジの外周面から径方向外側に突出し、円筒状フランジを前記取付孔内に挿入したときに取付孔の周縁部の下側に進入するように設けられた突起片を備え、この突起片が、円筒状フランジの外周面において前記第一突出片と反対側の位置に設けられている請求項１〜３のいずれかに記載の自動販売機用のダミー体。
【請求項５】
取付孔の形状が異なる２種類のステージに請求項２に記載の自動販売機用のダミー体を取り付けるための自動販売機用のダミー体の取付構造であって、前記ダミー体が、それぞれ拡径方向に設けられた切り欠き部を複数有するほぼ円形状の第一の取付孔および第二の取付孔に取付可能となるように、前記第一の取付孔は、後方を１２時の方向としたときに、１時の方向から３時の方向の間に位置する第一切り欠き部、５時の方向から７時の方向の間に位置する第二切り欠き部、９時の方向から１１時の方向の間に位置する第三切り欠き部および１２時の方向に位置する小切り欠き部を有する一方、第二の取付孔は、後方を１２時の方向としたときに、１時の方向、２時の方向、７時の方向および８時の方向に位置する山型切り欠き部と、２時の方向から４時の方向の間および８時の方向から１０時の方向の間に位置する大切り欠き部とを有し、また、第一突出片および第二突出片を合わせた形状が第一の取付孔の第一切り欠き部、第二切り欠き部および第三切り欠き部にほぼ一致し、さらに、前記第一突出片の形状が第二の取付孔の大切り欠き部にほぼ一致することを特徴とする自動販売機用のダミー体の取付構造。
【請求項６】
取付孔の形状が異なる２種類のステージに請求項３に記載の自動販売機用のダミー体を取り付けるための自動販売機用のダミー体の取付構造であって、前記ダミー体が、それぞれ拡径方向に設けられた切り欠き部を複数有するほぼ円形状の第一の取付孔および第二の取付孔に取付可能となるように、前記第一の取付孔は、後方を１２時の方向としたときに、１時の方向から３時の方向の間に位置する第一切り欠き部、５時の方向から７時の方向の間に位置する第二切り欠き部、９時の方向から１１時の方向の間に位置する第三切り欠き部および１２時の方向に位置する小切り欠き部を有する一方、第二の取付孔は、後方を１２時の方向としたときに、１時の方向、２時の方向、７時の方向および８時の方向に位置する山型切り欠き部と、２時の方向から４時の方向の間および８時の方向から１０時の方向の間に位置する大切り欠き部とを有し、また、第一突出片、第二突出片および第三突出片を合わせた形状が第一の取付孔の第一切り欠き部、第二切り欠き部および第三切り欠き部にほぼ一致し、さらに、前記第一突出片の形状が第二の取付孔の大切り欠き部にほぼ一致することを特徴とする自動販売機用のダミー体の取付構造。
【請求項７】
前記円筒状フランジを前記第一の取付孔内に挿入したときに、前記突出部が第一の取付孔の小切り欠き部に係止して円筒状フランジの中心軸まわりの回転が防止される請求項５または６に記載の自動販売機用のダミー体の取付構造。
【考案の詳細な説明】
【技術分野】
【０００１】
本考案は、例えば、ボトル缶や直胴（ストレート）缶あるいはネックインタイプの缶やペットボトル等に収容される商品（ジュースやコーヒー、ビール、茶等）を販売する自動販売機において、販売する商品を示すために自動販売機に設けられたステージの取付孔に取り付けられる自動販売機用のダミー体およびその取付構造に関する。
【背景技術】
【０００２】
缶入りやペットボトル入りのジュース、コーヒーやビール等の商品を販売するための自動販売機には、それらの商品のダミー体を展示するための展示室が設けられている。これらのダミー体は商品をより魅力あるものとして宣伝するためのものであると共に、商品の入れ替えに伴って容易に交換可能であることが必要である。
【０００３】
そのため、ダミー体の胴部の下部から下方に向けて胴部より小径の円筒状フランジが突設されている一方、前記展示室内の鉄板等からなるステージには取付孔が形成され、前記円筒状フランジを取付孔に挿入連結することによりダミー体がステージに着脱自在に取り付けられるように構成されている。なお、前記ステージの下方にはダミー体照明用の蛍光灯等の照射光源が配置されている。
【考案の開示】
【考案が解決しようとする課題】
【０００４】
ところで、前記ステージとして、図６に示す取付孔（以下、第一の取付孔という）Ｈ１を有するものと、図７に示す取付孔（以下、第二の取付孔という）Ｈ２を有するものとがあり、第一の取付孔Ｈ１および第二の取付孔Ｈ２は、それぞれ拡径方向に設けられた切り欠き部を複数有するほぼ円形状をしており、径もほぼ同じとなっている。具体的には、図６に示す第一の取付孔Ｈ１は、後方（自動販売機の後側。図６では上方）を１２時の方向としたときに、１時の方向から３時の方向の間に位置する第一切り欠き部１と、５時の方向から７時の方向の間に位置する第二切り欠き部２と、９時の方向から１１時の方向の間に位置する第三切り欠き部３と、１２時の方向に位置する小切り欠き部４とを有している。なお、第一切り欠き部１および第二切り欠き部２は、ともにその両端部がほぼ直角に切り込まれている。また、第三切り欠き部３は、第二切り欠き部２に近い方の端部がぼ直角に切り込まれている一方で、小切り欠き部４あるいは第一切り欠き部１に近い方の端部は鈍角に切り込まれている。
【０００５】
一方、図７に示す第二の取付孔Ｈ２は、後方（図７では上方）を１２時の方向としたときに、１時の方向、２時の方向、７時の方向および８時の方向に位置する山型切り欠き部５，６，７，８と、２時の方向から４時の方向の間および８時の方向から１０時の方向の間に位置する大切り欠き部９，１０とを有している。なお、山型切り欠き部５，７は同一形状、山型切り欠き部６，８も同一形状であって、山型切り欠き部５，７は山型切り欠き部６，８よりも若干大きく形成されている。また、大切り欠き部９，１０は、ともにその両端部がほぼ直角に切り込まれている。
【０００６】
そして、上記二種の取付孔Ｈ１，Ｈ２に取り付けられるダミー体は同一形状のものではなく、個別に適した形状を有するダミー体が用意されていたことから、より大量生産が不可能で、ダミー体の製造コストの低減を図ることや、取付孔Ｈ１，Ｈ２が設けられたステージを用いるそれぞれ異なるユーザー間で、自動販売機の共用もできなかった。
【０００７】
この考案は上述の事柄に留意してなされたもので、その目的は、製造コストや販売費の低減を図ることができる自動販売機用のダミー体およびその取付構造を提供することである。
【課題を解決するための手段】
【０００８】
上記目的を達成するために、本考案の自動販売機用のダミー体は、自動販売機において販売する商品を示すために自動販売機に設けられたステージの取付孔に取り付けられ、この取付孔の径より大きい外径を有する胴部と、この胴部の下部から下方に向けて突設され前記取付孔の径より小さい外径を有する円筒状フランジとを備えた自動販売機用のダミー体であって、前記円筒状フランジの外周面から径方向外側に突出する第一突出片、第二突出片および突出部を備え、前記第一突出片は、円筒状フランジの左側または右側において、円筒状フランジを前記取付孔内に挿入したときに、取付孔の周縁部の下面から下向きの付勢を受けて弾性変形する状態となるように設けられ、前記第二突出片は、円筒状フランジを前記取付孔内に挿入したときに取付孔の周縁部の下側に進入するように設けられ、前記突出部は円筒状フランジの後側に設けられていることを特徴としている（請求項１）。
【０００９】
前記自動販売機用のダミー体において、第二突出片が第一突出片に隣接する位置に設けられていてもよい（請求項２）。
【００１０】
さらに、前記自動販売機用のダミー体が、前記円筒状フランジの外周面から径方向外側に突出し、円筒状フランジを前記取付孔内に挿入したときに取付孔の周縁部の下側に進入するように設けられた第三突出片を備え、また、前記第二突出片および第三突出片が第一突出片を挟む位置に設けられていてもよい（請求項３）。
【００１１】
また、前記自動販売機用のダミー体が、前記円筒状フランジの外周面から径方向外側に突出し、円筒状フランジを前記取付孔内に挿入したときに取付孔の周縁部の下側に進入するように設けられた突起片を備え、この突起片が、円筒状フランジの外周面において前記第一突出片と反対側の位置に設けられていてもよい（請求項４）。
【００１２】
一方、上記目的を達成するために、本考案の自動販売機用のダミー体の取付構造は、取付孔の形状が異なる２種類のステージに請求項２に記載の自動販売機用のダミー体を取り付けるための自動販売機用のダミー体の取付構造であって、前記ダミー体が、それぞれ拡径方向に設けられた切り欠き部を複数有するほぼ円形状の第一の取付孔および第二の取付孔に取付可能となるように、前記第一の取付孔は、後方を１２時の方向としたときに、１時の方向から３時の方向の間に位置する第一切り欠き部、５時の方向から７時の方向の間に位置する第二切り欠き部、９時の方向から１１時の方向の間に位置する第三切り欠き部および１２時の方向に位置する小切り欠き部を有する一方、第二の取付孔は、後方を１２時の方向としたときに、１時の方向、２時の方向、７時の方向および８時の方向に位置する山型切り欠き部と、２時の方向から４時の方向の間および８時の方向から１０時の方向の間に位置する大切り欠き部とを有し、また、第一突出片および第二突出片を合わせた形状が第一の取付孔の第一切り欠き部、第二切り欠き部および第三切り欠き部にほぼ一致し、さらに、前記第一突出片の形状が第二の取付孔の大切り欠き部にほぼ一致することを特徴としている（請求項５）。
【００１３】
また、本考案のもう一つの自動販売機用のダミー体の取付構造は、取付孔の形状が異なる２種類のステージに請求項３に記載の自動販売機用のダミー体を取り付けるための自動販売機用のダミー体の取付構造であって、前記ダミー体が、それぞれ拡径方向に設けられた切り欠き部を複数有するほぼ円形状の第一の取付孔および第二の取付孔に取付可能となるように、前記第一の取付孔は、後方を１２時の方向としたときに、１時の方向から３時の方向の間に位置する第一切り欠き部、５時の方向から７時の方向の間に位置する第二切り欠き部、９時の方向から１１時の方向の間に位置する第三切り欠き部および１２時の方向に位置する小切り欠き部を有する一方、第二の取付孔は、後方を１２時の方向としたときに、１時の方向、２時の方向、７時の方向および８時の方向に位置する山型切り欠き部と、２時の方向から４時の方向の間および８時の方向から１０時の方向の間に位置する大切り欠き部とを有し、また、第一突出片、第二突出片および第三突出片を合わせた形状が第一の取付孔の第一切り欠き部、第二切り欠き部および第三切り欠き部にほぼ一致し、さらに、前記第一突出片の形状が第二の取付孔の大切り欠き部にほぼ一致することを特徴としている（請求項６）。
【００１４】
また、上記自動販売機用のダミー体の取付構造において、前記円筒状フランジを前記第一の取付孔内に挿入したときに、前記突出部が第一の取付孔の小切り欠き部に係止して円筒状フランジの中心軸まわりの回転が防止されることが好ましい（請求項７）。
【考案の効果】
【００１５】
請求項１〜７に係る本考案によれば、製造コストの低減を図ることができる自動販売機用のダミー体およびその取付構造が得られる。すなわち、本考案では、複数の突出片および突出部等を有する円筒状フランジを備えたことにより、形状が異なる取付孔を有する複数のステージに着脱自在に取り付けることができ、汎用性を有する自動販売機用のダミー体が得られる。そして、形状が異なる複数の取付孔に取り付けることができるこの考案のダミー体を用いれば、取付孔の形状毎に個別に適した形状を有するダミー体を用意する必要がなくなり、製造コストの低減を図ることができる自動販売機用のダミー体およびその取付構造が得られる。
【００１６】
また、請求項５〜７に係る本考案によれば、例えば、前記第一の取付孔および第二の取付孔が既に設けられている場合に両方の取付孔を有効に活用することができ、そのような活用に特に好適な自動販売機用のダミー体の取付構造が得られる。
【００１７】
特に、請求項５に係る自動販売機用のダミー体の取付構造では、ダミー体を、前記第一突出片および第二突出片が第一の取付孔の第一切り欠き部、第二切り欠き部または第三切り欠き部のいずれかに合致する向きとすれば、第一突出片および第二突出片を合わせた形状が前記三つの切り欠き部にそれぞれほぼ一致するように構成されているので、第一の取付孔への円筒状フランジの挿入をよりスムーズに行うことができるという効果が得られる。そのうえ、前記取付構造では、円筒状フランジを前記取付孔内に挿入したときに取付孔の周縁部の下面から下向きの付勢を受けて弾性変形する状態となる前記第一突出片が、第二の取付孔に対するダミー体の取付時に第二の取付孔の大切り欠き部内に嵌まり込み、そのときの感触を作業者が手掛かりにすることにより、ダミー体の取付作業をより簡便に行うことができるという効果もが得られる。
【００１８】
また、請求項６に係る考案でも、上記請求項５に係る取付構造と同様の効果を奏する自動販売機用のダミー体の取付構造が得られる。
【００１９】
他方、請求項７に係る考案では、第一の取付孔の小切り欠き部に突出部を嵌め込むことにより、第一の取付孔に取り付けたダミー体が不意に回転することを確実に防止することができる上、突出部が小切り欠き部内に嵌まり込んだときの感触を作業者が手掛かりにすることにより、ダミー体の取付作業をより簡便に行うことができる自動販売機用のダミー体の取付構造が得られる。
【考案を実施するための最良の形態】
【００２０】
図１は、本考案の一実施の形態に係る自動販売機用のダミー体（以下、ダミー体という）およびその取付構造の構成を概略的に示す斜視図、図２（Ａ）、（Ｂ）および（Ｃ）は、前記ダミー体の要部の構成を概略的に示す横断面図、部分拡大側面図および部分拡大背面図である。なお、図６、図７に示したものと同一または同等の部材等については同じ符号を付し、その説明を省略する。
【００２１】
まず、図１に示すように、この実施形態のダミー体は、例えば、茶、ジュース、コーヒー等の飲料である商品のパッケージ（飲料容器）と略同じ内容の印刷が施された適宜の可撓性を有するフィルム体１１を備えている。なお、このフィルム体１１は、例えば、ポリプロピレン、ポリカーボネイト、ポリエチレンテレフタレート等またはそれらの再生品など、耐熱性、耐候性に優れた素材からなる。
【００２２】
そして、上記フィルム体１１は、図１に示すように、比較的硬質の合成樹脂（例えば、ポリプロピレン、ポリカーボネイト、ポリエチレンテレフタレート等またはそれらの再生品）をインジェクション成形して得られるダミー体本体１２に装着される。このダミー体本体１２の胴部１３は、フィルム体１１の上端および下端を保持する上枠部１４および下枠部１５と、フィルム体１１の左右両端を保持する背面部１６とを備えており、ダミー体本体１２は、胴部１３にフィルム体１１が装着された状態で全体として飲料容器（この実施形態ではペットボトル）全体の形状を呈するように構成されている。なお、図１において、ダミー体本体２の胴部１３の前面中央部を二点鎖線で囲むと共に符号Ｆを付して示しているが、これは、図１以外の図面において前面中央部Ｆを図示することによりダミー体本体２の胴部１３の向き（ダミー体の向き）を特定して本考案の理解を容易とするためであり、前面中央部Ｆの形状や模様等を表すものではない。また、ダミー体（ダミー体本体２）の前側、後側、右側および左側は、ステージ１７（後述する）に設置した状態のダミー体を自動販売機の前方からみたときの（あるいは図１における）ダミー体の手前側、奥側、右側および左側を指す。
【００２３】
一方、図１において、１７は自動販売機の展示室内に設けられた自動販売機において販売する商品を示すためのダミー体を展示するステージ１７であり、このステージ１７の下方にはダミー体照明用の棒状の蛍光灯１８が配置されている。そして、ステージ１７には、前記第一の取付孔Ｈ１（図６参照）が設けられたものと第二の取付孔Ｈ２（図７参照）が設けられたものとがあり、前記ダミー体本体１２は、取付孔の形状が異なる２種類のステージ１７のいずれにも着脱自在に取り付けられるように構成されている。
【００２４】
詳述すると、ダミー体本体１２は、図１および図２（Ａ）〜（Ｃ）に示すように、前記取付孔Ｈ１，Ｈ２の径より大きい外径を有する胴部と、胴部１３の下部から下方に向けて突設され、前記取付孔Ｈ１，Ｈ２の径より小さい外径を有する円筒状フランジ１９と、この円筒状フランジ１９の外周面から径方向外側に突出する第一突出片２０、第二突出片２１、突起片２２および突出部２３とを備えている。
【００２５】
ここで、前記第一突出片２０は、図１および図２（Ａ）に示すように、円筒状フランジ１９の左側または右側（この実施の形態では左側）に設けられ、前記第二突出片２１は、図１並びに図２（Ａ）および（Ｂ）に示すように、この第一突出片２０に隣接する位置（この実施の形態では第一突出片２０の前側）に設けられ、前記突起片２２は、円筒状フランジ１９の外周面において前記第一突出片２０と反対側の位置に設けられ、前記突出部２３は円筒状フランジ１９の後側に設けられている。また、図２（Ｂ）および（Ｃ）に示すように、前記第一突出片２０、第二突出片２１、突起片２２は板状をしており、第二突出片２１と突起片２２とはほぼ同じ高さに設けられているのに対し、第一突出片２０はこれら２１，２２よりも若干上方に設けられている。さらに、突起片２２は、第一突出片２０および第二突出片２１に比べて、円筒状フランジ１９の外周面から径方向外側への突出量（以下、単に突出量という）が小さくなっている。一方、前記突出部２３は、図２（Ｃ）に示すように、上下方向に延びる突条となっている。
【００２６】
また、第一突出片２０は、円筒状フランジ１９を前記取付孔Ｈ１，Ｈ２内に挿入したときに、取付孔Ｈ１，Ｈ２の周縁部の下面から下向きの付勢を受けて弾性変形する状態となり、第二の取付孔Ｈ２の大切り欠き部９，１０に合致する位置にきたときには、大切り欠き部９，１０内にその上部が下方から進入する状態となるように構成されている。また、第二突出片２１および突起片２２は、円筒状フランジ１９を前記取付孔Ｈ１，Ｈ２内に挿入したときに取付孔Ｈ１，Ｈ２の周縁部の下側に進入し、前記周縁部の下面に当接するように設けられている。
【００２７】
上記の構成からなるダミー体を第一の取付孔Ｈ１を有するステージ１７に取り付けるには、まず、図３（Ａ）に示すように、ダミー体を傾けた状態で円筒状フランジ１９を第一の取付孔Ｈ１（図６参照）内にその上方から挿入し、突起片２２よりも突出量の大きい第一突出片２０および第二突出片２１をステージ１７の下側に潜り込ませる。このとき、第一突出片２０よりも若干低い位置に設けられた第二突出片２１は、第一突出片２０をステージ１７の下側に潜り込ませるためのガイドの役割を果たす。また、このとき、ダミー体を、前記第一突出片２０および第二突出片２１が第一切り欠き部１、第二切り欠き部２または第三切り欠き部３のいずれかに合致する向きとすれば、第一突出片２０および第二突出片２１を合わせた形状（大きさ）が第一の取付孔Ｈ１の第一切り欠き部１、第二切り欠き部２および第三切り欠き部３にそれぞれほぼ一致するように構成されているので、第一の取付孔Ｈ１への円筒状フランジ１９の挿入をよりスムーズに行うことができるが、そのような向きにしなくても前記挿入を行うことは可能である。
【００２８】
その後、突起片２２をステージ１７の下側に潜り込ませ、ダミー体の傾きが元に戻れば、第一の取付孔Ｈ１に対する円筒状フランジ１９の挿入が完了する（図３（Ｂ）参照）。ここで、前記突起片２２が第一の取付孔Ｈ１の周縁部に当接して、この突起片２２をステージ１７の下側へ潜り込ませることができない場合には、ダミー体を適宜に回転操作して、前記突起片２２が前記切り欠き部１〜３のいずれかに合致する位置に移動させる等すればよい。そして、上記挿入の完了により、図４（Ａ）に示すように、ダミー体の正面（ダミー体本体１２の胴部１３の前面中央部Ｆ）が前方（自動販売機の前側）に位置していれば、第一の取付孔Ｈ１を有するステージ１７へのダミー体の取り付けが完了していることになる。従って、ダミー体の正面が前方に位置していない場合には、そうなるようにダミー体を適宜に回転操作すればよい。
【００２９】
上記のように、第一の取付孔Ｈ１を有するステージ１７へのダミー体の取り付けが完了すると、図４（Ａ）に示すように、第一の取付孔Ｈ１の小切り欠き部４にほぼ一致する形状を有する前記突出部２３が、この小切り欠き部４に嵌まり込んで係止し、円筒状フランジ１９（ダミー体本体１２）の縦方向に延びる中心軸まわりの回転が防止されることとなる。なお、作業者は、上記のように突出部２３が小切り欠き部４内に嵌まり込んだときの感触によって、ダミー体が正面を向き、その取り付けが完了したことを知ることができる。また、同時に、ダミー体本体１２の下枠部１５の下面がステージ１７の上面に当接すると共に、第一突出片２０、第二突出片２１および突起片２２が第一の取付孔Ｈ１の周縁に係止して、円筒状フランジ１９（ダミー体本体１２）の第一の取付孔Ｈ１からの抜けが防止されることとなる。
【００３０】
一方、前記ダミー体を第二の取付孔Ｈ２を有するステージ１７に取り付ける手順も上記と同様であり、まず、図３（Ａ）に示すように、ダミー体を傾けた状態で円筒状フランジ１９を第二の取付孔Ｈ２（図７参照）内にその上方から挿入し、第一突出片２０および第二突出片２１をステージ１７の下側に潜り込ませる。このとき、第一突出片２０よりも若干低い位置に設けられた第二突出片２１は、第一突出片２０をステージ１７の下側に潜り込ませるためのガイドの役割を果たす。
【００３１】
その後、突起片２２をステージ１７の下側に潜り込ませ、ダミー体の傾きが元に戻れば、第二の取付孔Ｈ２に対する円筒状フランジ１９の挿入が完了する（図３（Ｂ）参照）。ここで、前記突起片２２が第二の取付孔Ｈ２の周縁部に当接し、この突起片２２をステージ１７の下側へ潜り込ませることができない場合には、ダミー体を適宜に回転操作等すればよい。そして、上記挿入の完了により、図４（Ｂ）に示すように、ダミー体の正面（ダミー体本体１２の胴部１３の前面中央部Ｆ）が前方に位置していれば、第二の取付孔Ｈ２を有するステージ１７へのダミー体の取り付けが完了していることになる。従って、ダミー体の正面が前方に位置していない場合には、そうなるようにダミー体を適宜に回転操作すればよい。
【００３２】
上記のように、第二の取付孔Ｈ２を有するステージ１７へのダミー体の取り付けが完了すると、図４（Ｂ）に示すように、第二の取付孔Ｈ２の大切り欠き部９，１０にそれぞれほぼ一致する形状（大きさ）を有する第一突出片２０が、大切り欠き部９，１０のいずれか一方（この実施の形態では大切り欠き部１０）の内部にその上部が下方から進入する状態となる。すなわち、第一突出片２０は、大切り欠き部１０内に若干嵌まり込んでその両側の角部が大切り欠き部１０の周縁に係止（当接）し（図４（Ｂ）中の部分拡大縦断面図参照）、これにより、円筒状フランジ１９（ダミー体本体１２）の縦方向の中心軸まわりの回転が防止されることとなる。なお、作業者は、上記のように第一突出片２０が大切り欠き部１０内に嵌まり込んだときの感触によって、ダミー体が正面を向き、その取り付けが完了したことを知ることができる。また、同時に、ダミー体本体１２の下枠部１５の下面がステージ１７の上面に当接すると共に、第一突出片２０、第二突出片２１および突起片２２が第二の取付孔Ｈ２の周縁に係止して、円筒状フランジ１９（ダミー体本体１２）の第二の取付孔Ｈ２からの抜けが防止されることとなる。
【００３３】
逆に、第一の取付孔Ｈ１を有するステージ１７に取り付けたダミー体を取り外すには、まず、前記円筒状フランジ１９における突起片２２が設けられた側（この実施の形態では左側）を持ち上げ、第一の取付孔Ｈ１の周縁部に係止した状態の前記第一突出片２０および第二突出片２１はそのままにしつつ、これらの突出片２０，２１よりも突出量の小さい突起片２２が第一の取付孔Ｈ１から上方に引き抜かれた状態となるようにダミー体を傾けた状態とする（図３（Ａ）参照）。ここで、前記突起片２２が第一の取付孔Ｈ１の周縁に係止して上記持ち上げができない場合には、突起片２２が第一の取付孔Ｈ１の周縁によって係止されない位置（例えば、前記切り欠き部１〜３に合致する位置）にくるように、ダミー体を適宜に回転させればよい。その後、斜め上方向にダミー体を引っ張ることで、第一突出片２０および第二突出片２１に対する第一の取付孔Ｈ１の周縁の係止が解除され、ダミー体をステージ１７から取り外すことができる。
【００３４】
また、第二の取付孔Ｈ２を有するステージ１７に取り付けたダミー体を取り外すには、まず、前記円筒状フランジ１９における突起片２２が設けられた側（この実施の形態では左側）を持ち上げ、第二の取付孔Ｈ２の周縁部に係止した状態の前記第二突出片２１はそのままにしつつ、この突出片２１よりも突出量の小さい突起片２２が第二の取付孔Ｈ２から上方に引き抜かれた状態となるようにダミー体を傾けた状態とする（図３（Ａ）参照）。その後、斜め上方向にダミー体を引っ張ることで、第二突出片２１に対する第二の取付孔Ｈ２の周縁の係止が解除され、ダミー体をステージ１７から取り外すことができる。
【００３５】
上記構成のダミー体では、ダミー体本体１２を前方および下方を開口させたフレーム構造としているので、前方を開口させずにダミー体本体１２の枠の部分と前面部分とを一体成形した従来のダミー体に比べて、一層の軽量化を図ることができ省資源エネルギーにもなる。
【００３６】
本考案は、上記実施の形態に限らず、種々に変形して実施することができる。例えば、上記の実施形態では、ダミー体本体１２として、フィルム体１１が装着された状態で全体として飲料容器（例えばペットボトル）全体の形状を呈する構造のものを用いたが、本考案はこれに限られず、第一の取付孔Ｈ１および第二の取付孔Ｈ２に対する取り付けに用いられるダミー体本体１２の下部の構造が同一であれば、種々の構成を採用することができる。すなわち、ダミー体本体１２は、例えば、前方、後方および下方が開口し、フィルム体１１が装着された状態で全体として飲料容器（例えばペットボトル）のほぼ前半分の形状を呈するように形成された所定の肉厚を有するフレーム構造をしていてもよい。
【００３７】
また、第一の取付孔Ｈ１および第二の取付孔Ｈ２に対する取り付けに用いられるダミー体本体１２の下部の構造も上記のものに限られない。例えば、図５（Ａ）および（Ｂ）に示すように、ダミー体本体１２が、前記円筒状フランジ１９の外周面から径方向外側に突出し、円筒状フランジ１９を前記取付孔Ｈ１，Ｈ２内に挿入したときに取付孔Ｈ１，Ｈ２の周縁部の下側に進入するように設けられ、前記第二突出片２１と同様の役割を果たす第三突出片２４を備えていてもよい。より具体的に説明すると、この第三突出片２４は、板状で、第二突出片２１と共に第一突出片２０を挟む位置に設けられており、前記第二突出片２１とほぼ同じ高さに設けられていると共に、突出量も第二突出片２１とほぼ同じである。この場合、前記第一突出片２０、第二突出片２１および第三突出片２４を合わせた形状が、第一の取付孔Ｈ１の第一切り欠き部１、第二切り欠き部２および第三切り欠き部３にほぼ一致するように構成することが望ましい。これは、第一の取付孔Ｈ１に円筒状フランジ１９を挿入する際に、ダミー体を、前記三つの突出片２０，２１，２４が三つの切り欠き部１〜３のいずれかに合致する向きとすることにより、第一の取付孔Ｈ１への円筒状フランジ１９の挿入をよりスムーズに行うことができるからである。
【図面の簡単な説明】
【００３８】
【図１】本考案の一実施の形態に係る自動販売機用のダミー体およびその取付構造の構成を概略的に示す斜視図である。
【図２】（Ａ）、（Ｂ）および（Ｃ）は、前記ダミー体の要部の構成を概略的に示す横断面図、部分拡大側面図および部分拡大背面図である。
【図３】（Ａ）および（Ｂ）は、前記ダミー体の取付手順を概略的に示す説明図である。
【図４】（Ａ）は、第一の取付孔に取り付けた前記ダミー体の要部の構成を概略的に示す横断面図、（Ｂ）は、第二の取付孔に取り付けた前記ダミー体の要部の構成を概略的に示す横断面図である。
【図５】（Ａ）および（Ｂ）は、前記ダミー体の変形例の要部の構成を概略的に示す横断面図および部分拡大側面図である。
【図６】第一の取付孔を有するステージの構成を概略的に示す平面図である。
【図７】第二の取付孔を有するステージの構成を概略的に示す平面図である。
【符号の説明】
【００３９】
１３  胴部
１７  ステージ
１９  円筒状フランジ
２０  第一突出片
２１  第二突出片
２２  突起片
２３  突出部
Ｈ１  第一の取付孔
Ｈ２  第二の取付孔
【図１】
0003116833.tif 000003
【図２】
0003116833.tif 000004
【図３】
0003116833.tif 000005
【図４】
0003116833.tif 000006
【図５】
0003116833.tif 000007
【図６】
0003116833.tif 000008
【図７】
0003116833.tif 000009